(57)【要約】【課題】冷蔵庫の背面を成す背面板に熱反射部材を貼付したときに、熱反射部材が剥がれるのを防止し、放熱量を維持した冷蔵庫を提供することを目的とする。【解決手段】冷蔵庫１００の左右側面板１１７ａ、１１７ｂのフランジ部１１９ａ、１１９ｂと、第１の熱反射部材１１０を貼り付けた背面板１０９をラップさせて、第１の熱反射部材１１０の端面が、フランジ部１１９ａ、１１９ｂと背面板１０９との間に挟みこんで組立てることで、第１の熱反射部材１１０の剥がれを防止することができる。【選択図】図２
2012220033.tif 000002
【特許請求の範囲】
【請求項１】
冷蔵庫の外箱と内箱と、前記外箱と前記内箱の間に充填された断熱発泡材と、前記外箱の側面部を形成する側面板と、背面部を形成する背面板と、前記背面板に貼り付けられた第１の熱反射部材と、前記第１の熱反射部材よりも後方で前記冷蔵庫内を冷却する冷却システムの一部を構成する背面コンデンサとを備えた冷蔵庫において、前記背面板の側端面部の上から前記側面板を覆うことで、前記第１の熱反射部材の一部を前記背面板と前記側面板とで挟み込んで形成したことを特徴とする冷蔵庫。
【請求項２】
側面板の後端面を折り曲げて形成したことを特徴とする請求項１に記載の冷蔵庫。
【請求項３】
前記背面板の下部に設けられた機械室と、前記機械室に配置され前記冷蔵庫を冷却運転する圧縮機とを備えた冷蔵庫において、前記機械室の天面を形成する天面板に第２の熱反射部材を貼付したことを特徴とする請求項１または２に記載の冷蔵庫。
【発明の詳細な説明】
【技術分野】
【０００１】
本発明は、冷蔵庫に関し、特に、冷蔵庫背面が背面板（厚紙）で形成された冷蔵庫に関する。
【背景技術】
【０００２】
従来、冷蔵庫背面の背面板が厚紙で形成された冷蔵庫が知られている。例えば、特許文献１には、冷蔵庫の背面板が厚紙で、その厚紙に熱反射板（アルミ箔）の薄膜板１０ａを貼り付けた冷蔵庫が開示されている。
【０００３】
この背面板の後方にダクト１３を形成してカバーに高圧パイプを配設したバックコンデンサ１２を形成している。そして対向配置したバックコンデンサ１２から放熱された熱が薄膜板のアルミ箔１０ａによって反射およびアルミ箔１０ａの面を熱伝達して表面温度分布が均一化され、輻射熱によって庫内側への熱吸収を低減し冷却効率を高めることができる構成について開示されている。
【先行技術文献】
【特許文献】
【０００４】
【特許文献１】実開昭５７−１２８０７３号公報
【発明の概要】
【発明が解決しようとする課題】
【０００５】
しかしながら、上記従来の冷蔵庫においては、背面板に貼り付けられたアルミ箔は経年劣化や温度変化により端面から剥がれていく虞があった。そのため、アルミ箔による熱反射が低減されて放熱が抑制され、剥がれた後の厚紙部から吸熱して庫内の冷却効率が低下するという課題を有していた。
【０００６】
本発明は、上記従来の課題を考慮し、背面板に貼り付けられたアルミ箔が剥がれないよう構成するとともに、庫外から庫内への吸熱量を減少させることで消費電力量の低減効果のある冷蔵庫を提供することを目的とする。
【課題を解決するための手段】
【０００７】
前記従来の課題を解決するために、本発明の冷蔵庫は、側面板のフランジ部と、熱反射部材を貼り付けた背面板をラップさせ、熱反射部材の端面部がフランジ部に上から覆われて冷蔵庫の外箱が組み立てられたものである。
【０００８】
これにより、熱反射部材の端面剥がれを防止し、側面板とラップして形成されるので、冷蔵庫の背面に外付けされた背面コンデンサの熱を背面板から側面板にも熱伝達して放熱量を高めることができ、また背面コンデンサから受けた熱を庫外側に放射できるので消費電力量の削減を図ることができる。
【発明の効果】
【０００９】
本発明の冷蔵庫は、冷蔵庫背面の背面板に、側面板とラップさせて、熱反射部材を貼り付けることで、熱反射部材の剥がれを低減して信頼性を確保できるとともに、消費電力量の削減を図ることができる。
【図面の簡単な説明】
【００１０】
【図１】本発明の実施の形態１に係る冷蔵庫の中央断面図
【図２】本発明の図１のＢ−Ｂ断面図
【図３】従来の冷蔵庫の中央断面図
【図４】従来の冷蔵庫の図３のＡ−Ａ断面図
【発明を実施するための形態】
【００１１】
第１の発明は、冷蔵庫の外箱と内箱と、前記外箱と前記内箱の間に充填された断熱発泡材と、前記外箱の側面部を形成する側面板と、背面部を形成する背面板と、前記背面板に貼り付けられた第１の熱反射部材と、前記第１の熱反射部材よりも後方で前記冷蔵庫内を冷却する冷却システムの一部を構成する背面コンデンサとを備えた冷蔵庫において、前記背面板の側端面部の上から前記側面板を覆うことで、前記第１の熱反射部材の一部を前記背面板と前記側面板とで挟み込んで形成したことにより、第１の熱反射部材の端面が剥がれるのを防止することができ、信頼性を確保し、省エネ化を図ることができる。
【００１２】
第２の発明は、第１の発明において、さらに側面板の後端面を折り曲げて形成したものであり、第１の熱反射部材を上から押さえ込んで剥がれを防止し、背面板から側面板への熱伝達を促進するので放熱効率を向上することができる。
【００１３】
第３の発明は、第１または第２の発明において、前記背面板の下部に設けられた機械室と、前記機械室に配置され前記冷蔵庫を冷却運転する圧縮機とを備えた冷蔵庫において、前記機械室の天面を形成する天面板に第２の熱反射部材を貼付したことで、圧縮機の表面シェルから放熱される熱を天面板全面に熱伝達し、さらに第２の熱反射部材から後方に向かって放射するので冷却効率を高めることができる。
【００１４】
（実施の形態１）
以下、本発明の実施の形態に係る冷蔵庫について、図面を参照しながら説明する。
【００１５】
図１は、本発明の実施の形態に係る冷蔵庫の中央断面図である。
【００１６】
図において、実施の形態に於ける冷蔵庫１００は全面を開口した断熱箱体１０１と、前記断熱箱体１０１の前面開口を覆う冷蔵室扉１１１及び冷凍室扉１１２と、電動圧縮機１０７、凝縮器を成す背面コンデンサ１０８、蒸発器（図示せず）等よりなる冷却システムより形成された冷蔵庫である。
【００１７】
前記断熱箱体１０１は前面を開口した外箱１０４とこの外箱１０４内に設けられる同じく前面を開口した内箱１０３及び外箱１０４、１０３間に充填された断熱材１０２とよりなる。
【００１８】
前記外箱１０４は左右側面板１１７ａ、１１７ｂと天面板１１７ｃを形成する様に折曲された折曲板１１７と、この折曲板１１７の背面に形成された背面板１０９と、下面に形成された底面板１１８とより形成されている。
【００１９】
また、冷蔵庫１００内を冷却する冷却システムの一部を構成する凝縮器をなす背面コンデンサ１０８は冷蔵庫１００の背面板１０９の後方に配置される。
【００２０】
１１３は前記外箱１０４の背面板１０９と内箱１０３との間に充填された断熱材１０２内に形成されたダクトである。
【００２１】
また、前記背面板１０９は、背面板１０９に設置された背面コンデンサ１０８に面する側に第１の熱反射部材１１０を貼り付けた薄膜板である。実施例の場合、第１の熱反射部材１１０はアルミ板で形成されている。
【００２２】
また、冷蔵庫１００は底面板１１８を冷蔵庫を支える脚１１６と電動圧縮機１０７の土台となる鉄板１１４に取り付けられたタイヤにより床面と若干間隔を設けており、この鉄板１１４上に電動圧縮機１０７が設けられている。
【００２３】
上記電動圧縮機１０７を設けている機械室１２１の天面板１２２には第２の熱反射部材１２０を貼り付けており、第１の熱反射部材１１０と同様にアルミ板で構成されている。
【００２４】
また、冷蔵庫１００は、上段及び下段の２つに区画された貯蔵室を備える。具体的には、上段の貯蔵室は冷蔵室１０５であり、下段の貯蔵室は冷凍室１０６である。
【００２５】
各貯蔵室において、冷蔵室１０５の庫内温度は約２〜８℃であり、冷凍室１０６の庫内温度は約−１８〜−２０℃である。
【００２６】
断熱箱体１０１の内方に形成される冷蔵室１０５には、前面開口部を覆うことにより冷蔵室１０５を密閉状態とする冷蔵室扉１１１が設けられている。
【００２７】
上記冷蔵室扉１１１は、前面開口部の向かって右側の端部に設けられた縦方向の回動軸を中心に回動することができる。
【００２８】
これにより、冷蔵室扉１１１を左右方向に開閉することができる。
【００２９】
また、扉１１１を開閉することによって、冷蔵室１０５に収納物を収納したり、冷蔵室１０５から収納物を取り出したりすることができる。
【００３０】
また、冷凍室１０６には、前面開口部を開閉自在に覆う冷凍室扉１１２が設けられている。
【００３１】
この様なものにおいて、冷蔵庫１００が運転されると、冷却システム内に冷媒が循環することになり、その結果、電動圧縮機１０７及び背面コンデンサ１０８が熱を発生し高温となる。
【００３２】
この際高温となった背面コンデンサ１０８からでた輻射熱線は、背面板１０９に貼り付けられた第１の熱反射部材１１０によって反射され、熱線の方向が反転し、冷蔵庫１００庫内への熱侵入が低下することとなり庫内側への熱影響が少なくなる。
【００３３】
また、冷蔵庫１００の背面において背面コンデンサ１０８から受ける熱が第１の熱反射部材１１０により冷蔵庫１００背面で熱伝達し温度分布が均一化され放熱能力が向上する。
【００３４】
また、実施例では、第１の熱反射部材１１０はアルミ板である。
【００３５】
しかしながら、上記アルミ板１１０は経年劣化や温度変化により端面から剥がれていく恐れがある。このため、アルミ板１１０による熱反射が低減されて放熱が抑制され、剥がれた後の背面板１０９から吸熱して冷蔵庫１００庫内の冷却効率が低下する。
【００３６】
そこで、背面板１０９の上から左右側面板１１７ａ、１１７ｂの後端部となる上下方向に形成されたフランジ部１１９ａおよび１１９ｂを覆うことで、第１の熱反射部材１１０の左右両側部の一部分を、背面板１０９と側面板１１７ａ、１１７ｂとで挟み込んで組み立ててある。
【００３７】
これにより、第１の熱反射部材１１０の端面剥がれを防止し、フランジ部１１９ａ、１１９ｂとラップするので、背面コンデンサ１０８の熱を背面板１０９から左右側面１１７ａ、１１７ｂにも熱伝達して放熱を高めることができる。
【００３８】
また、電動圧縮機１０７を配置する機械室１２１の機械室天面板１２２に第２の熱反射部材１２０を貼り付けて、電動圧縮機１０７の後方を開放する。
【００３９】
これにより、電動圧縮機１０７の熱が機械室天面１２２に吸収されるのを防止し、第１の熱反射部材１１０と同様の作用によって、冷蔵庫１００庫内への冷却効率を向上することができる。
【００４０】
また背面板１０９は金属製の板として説明したが、厚紙や樹脂部材で形成してもよく、鉄板を使用する場合に比べコストが安くなるだけでなく製品重量を軽減できる。
【産業上の利用可能性】
【００４１】
本発明に係る冷蔵庫は、消費電力量削減に有用である。
【符号の説明】
【００４２】
１００  冷蔵庫
１０１  断熱箱体
１０２  断熱材
１０３  内箱
１０４  外箱
１０５  冷蔵室
１０６  冷凍室
１０７  電動圧縮機
１０８  背面コンデンサ
１０９  背面板
１１０  第１の熱反射部材
１１１  冷蔵室扉
１１２  冷凍室扉
１１３  ダクト
１１７ａ、１１７ｂ  側面板
【図１】
2012220033.tif 000003
【図２】
2012220033.tif 000004
【図３】
2012220033.tif 000005
【図４】
2012220033.tif 000006